(57)【要約】【課題】被験者らの個体差、同じ被験者でも体調や病状の回復／進行具合に応じたサウナ効果が得られるようにする。【解決手段】  被験者を加温するヒータ４００Ａ〜４００Ｄと、前記被験者の心拍数情報又は脈拍数情報を計測する心拍数等センサ８４０Ａ，８４０Ｂと、心拍数等センサ８４０Ａ，８４０Ｂによって計測された情報に基づいて４００Ａ〜４００Ｄの熱量と４００Ａ〜４００Ｄのオン時間とを制御する制御信号を出力するコントローラ８００Ａ，８００Ｂと、を備える、サウナ装置。【選択図】  図１
2020146159.tif 000002
【特許請求の範囲】
【請求項１】
被験者を加温する熱源と、
前記被験者の心拍数情報又は脈拍数情報を計測するセンサと、
前記センサによって計測された情報に基づいて前記熱源の熱量と前記熱源のオン時間とを制御する制御信号を出力するコントローラと、
を備える、サウナ装置。
【請求項２】
１以上の車いす又は１以上のベッドが搬入可能である、と請求項１記載のサウナ装置。
【請求項３】
前記車いす又はベッドの移動方向を規定するガイドが設けられている、請求項２記載のサウナ装置。
【請求項４】
前記熱源が設けられているサウナ室と、前記コントローラが設けられている制御室とを備える、請求項１記載のサウナ装置。
【請求項５】
前記サウナ室のドアを開状態に保持する保持部が設けられている、請求項４記載のサウナ装置。
【発明の詳細な説明】
【技術分野】
【０００１】
本発明は、サウナ装置に関し、特に、慢性心不全、閉塞性動脈硬化症、慢性疲労症候群、繊維性筋痛症を含む慢性疼痛、膠原病に伴う難治性潰瘍、人工透析患者の皮膚掻痒、術後腸閉塞などの治療、脳神経変性疾患、および糖尿病など生活習慣病の血管内皮機能低下の改善やシェーグレン症候群など自己免疫疾患の治療、不眠・食欲不振・便秘・抑うつ気分など全身状態の改善などに用いられる乾熱式のサウナ装置に関する。
【背景技術】
【０００２】
一般的にサウナ浴は、サウナ室内に電気ヒータおよび蒸気発生器を配置して室内を８０℃〜１００℃の湿熱雰囲気に保持するようになっている。このため、サウナ室は、健常者にとっては積極的に発汗を促して、心身のリラックス効果や疲労回復等に有効である。しかし、心不全、高血圧あるいは不整脈等の患者や高齢者にとっては、心臓や血管系の負担が大きくなるために、不適切であるとされていた。
【０００３】
近年、気持ちよい低温サウナ浴により全身の動脈・静脈の拡張作用に加え、自律神経機能や神経体液性ホルモン分泌の改善、血管新生作用や精神的・身体的ストレスの寛解作用により、慢性心不全、閉塞性動脈硬化症、慢性疲労症候群、繊維性筋痛症を含む慢性疼痛、膠原病に伴う難治性潰瘍、人工透析患者の皮膚掻痒、術後腸閉塞を含む術後回復の治療、脳神経変性疾患、糖尿病など生活習慣病の血管内皮機能低下の改善、シェーグレン症候群など自己免疫疾患の治療、さらに不眠・食欲不振・便秘・抑うつ気分などの全身状態が有意に改善することが明らかになっている。
【０００４】
これらの効果は、適切な入浴温度・入浴時間・入浴後の管理によって得られることが判明しており、特に乾熱式でサウナ浴の温度をほぼ均等の６０℃に保つことにより、患者の血管内皮細胞から産生される一酸化窒素合成酵素（ｅＮＯＳ）の発現が有意に増加して、全身の血管拡張と血管新生は促進されることが確認されている。
【０００５】
例えば、この種の均等低温サウナは、糖尿病の合併症の一つである閉塞性動脈硬化症に極めて有効で、疼痛軽減・歩行距離延長・難治性潰瘍の治癒・下肢／上肢の血圧比の改善・レーザードプラー血流の改善などが得られ、ハムスターやマウスを用いた動物実験により、一酸化窒素合成酵素（ｅＮＯＳ）の著明な発現がその効果発現機序に深く関与していることも明らかになっている。
【０００６】
このような温熱療法に用いる均等低温サウナ装置として、ガス遠赤外線ヒータと、天井側の電熱ヒータとを設けたものが提案されている（特許文献１）。
【特許文献１】実公平６−５７９０号公報
【発明の開示】
【発明が解決しようとする課題】
【０００７】
＜問題点１＞
特許文献１に記載されているサウナ装置は、サウナ浴の温度をほぼ均等の６０℃に保つことにより、患者（被験者）の全身の血管拡張と血管新生を促進しているが、被験者の個体差もあれば、同じ被験者でも体調や病状の回復／進行具合もあるから、ほぼ均等の６０℃に保つことがベストとはいえない。
【０００８】
本発明の知見によれば、サウナ装置内に入る前の被験者の深部体温が概ね１℃上昇した状態を１５分間ほど保つことが血管拡張及び血管新生に寄与することを把握している。そうすると、被験者毎にサウナ装置に入る前或いは入った直後の深部体温を測定するとともに、サウナ装置内でも深部体温の測定を継続して、深部体温が約１℃上昇する条件で、サウナ装置内の温度を制御することが好ましいといえる。
【０００９】
しかし、サウナ装置内に深部体温測定装置を持ち込むことは、サウナ装置の大きさの制約、当該測定装置の耐熱・耐湿による制約などがあるため現実的でない。
【００１０】
＜問題点２＞
通常、被験者の前額部、腹部、脚部などは、全ての部位における深部体温が異なっている。例えば、末端冷性の被験者の例を考えると理解しやすいと思うが、このような被験者は、脚部の指先は、他の部位よりも深部体温が低温であることが多いであろう。したがって、サウナ装置全体をほぼ均等の温度にすると、ある部位にとっては深部体温が所望のものよりも高くなり、別の部位にとっては深部体温が所望のものよりも低くなる、ということが起こり得る。
【００１１】
これを回避するために、幾つかのヒータ（熱源）を設けて、熱源毎に熱量を制御することも考えられるが、問題点１・問題点２の双方を解決しようとすると、サウナ装置内に深部体温測定装置を持ち込むことが現実的でないため、他の解決手法を採用すべきである。
【００１２】
＜問題点３＞
特許文献１に記載されているサウナ装置は、被験者の体調や病状の回復／進行具合のみならず、生活習慣、嗜好に合致させた使用状況を実現するという面では改善の余地があった。
【００１３】
例えば、日頃からサウナ装置を利用する習慣があった被験者にとっては、深部体温が相対的に上昇しにくい体質であることも考えられる。そうすると、サウナ浴の温度をほぼ均等の６０°℃に保っても、深部体温が約１℃上昇しない場合が考えられる。
【００１４】
一方、日頃から涼しい環境で過ごす習慣があった被験者にとっては、深部体温が相対的に上昇しやすい体質であることも考えられるので、サウナ浴の温度をほぼ均等の６０°℃に保っても、深部体温が約１℃を越えて上昇してしまう場合もある。
【００１５】
本発明は、上記の様々な問題点のうち、少なくとも一つを解決することを課題とする。
【課題を解決するための手段】
【００１６】
上記課題を解決するために、本発明の一実施形態のサウナ装置は、
被験者を加温する熱源と、
前記被験者の深部体温を計測するセンサと、
前記センサによって計測された深部体温に基づいて前記熱源の熱量を制御する制御信号を出力するコントローラと、
を備える。
【００１７】
また、本発明の他の実施形態のサウナ装置は、
被験者を加温する複数の熱源と、
前記被験者の複数の部位における深部体温を計測する複数のセンサと、
前記各センサによって計測された深部体温に基づいて前記各熱源の熱量を制御する制御信号を出力するコントローラと、
を備える。
【００１８】
さらに、本発明の別の実施形態のサウナ装置は、
被験者を加温する熱源と、
前記被験者の心拍数情報又は脈拍数情報を計測するセンサと、
前記センサによって計測された情報に基づいて前記熱源の熱量と前記熱源のオン時間とを制御する制御信号を出力するコントローラと、
を備える。
【００１９】
１以上の車いす又は１以上のベッドが搬入可能としてもよい。
【００２０】
前記車いす又はベッドの移動方向を規定するガイドが設けられていてもよい。
【００２１】
前記熱源が設けられているサウナ室と、前記コントローラが設けられている制御室とを備えることができる。
【００２２】
前記サウナ室のドアを開状態に保持する保持部が設けられていてもよい。
【図面の簡単な説明】
【００２３】
【図１】本発明の実施形態１のサウナ装置１０００の概要を示す平面図である。
【図２】本発明の実施形態２のサウナ装置１０００の概要を示す平面図である。
【図３】本発明の実施形態３のサウナ装置３０００の概要を示す平面図である。
【符号の説明】
【００２４】
１００  サウナ室
２００  制御室
３００  断熱パネル
４００Ａ〜４００Ｄ  第１〜第４の壁
５００Ａ，５００Ｂ  ドア
６００Ａ，６００Ｂ  ガイド
７００Ａ〜７００Ｄ  ヒータ
８００Ａ，８００Ｂ  コントローラ
８１０Ａ，８１０Ｂ  深部体温センサ
１０００，２０００，３０００  サウナ装置
【発明の実施の形態】
【００２５】
以下、本発明の実施形態について、図面を参照して説明する。
【００２６】
（実施形態１）
＜構成の説明＞
図１は、本発明の実施形態１のサウナ装置１０００の概要を示す平面図である。サウナ装置１０００は、病院などの医療施設に好適に設置できる。なお、図１には、直方体形状のサウナ装置１０００を示しているが、例えば、立方体形状のものでよいし、円筒形状のものでもよく、その概形は不問である。
【００２７】
図１に示すサウナ装置１０００は、以下説明する、サウナ室１００と制御室２００とに大別される。サウナ室１００と制御室２００とは、断熱パネル３００によって仕切られる。したがって、サウナ室１００が高温となっても、制御室２００に伝達する熱は限定的である。
【００２８】
サウナ室１００は、例えば、図示しない２台の車輪付きベッドが搬入可能なスペースを有している。これらのベッドは、サウナ室１００を構成する第１〜第４の壁４００Ａ〜４００Ｄのうちの第１の壁４００Ａには、ドア５００Ａ，５００Ｂが設けられている。
【００２９】
ドア５００Ａ，５００Ｂは、サウナ室１００の第１の壁４００Ａに対して、ヒンジ５２０Ａ，５２０Ｂを通じて回動可能とされている。このため、ドア５００Ａ，５００Ｂを開状態にするには、医師、看護師、理学療法士等がドア５００Ａ，５００Ｂの外側に取り付けられている取っ手５１０Ａ，５１０Ｂを手前に引けばよい。
【００３０】
ドア５００Ａ，５００Ｂと第１の壁４００Ａとの間には、ドア５００Ａ，５００Ｂの開状態を保持するドアダンパーなどの保持部を設けるとよい。これにより、ドア５００Ａ，５００Ｂの開状態を保持して、ベッドをサウナ室１００内に容易に搬入することができる。
【００３１】
なお、ドア５００Ａ，５００Ｂには、例えば取っ手５１０Ａ，５１０Ｂの近傍に、図示しない点滴用ライン、酸素吸入用カニューレ、イヤホンなどを通すための開口部を形成するとよい。こうすると、サウナ浴中に、被験者が、点滴を受けたり、酸素吸入を受けたり、音楽又はビデオ鑑賞を楽しむことも可能である。
【００３２】
また、ドア５００Ａ，５００Ｂは、その中央上方などに開口部を設け、サウナ室１００の外からサウナ室１００の中が見えるよう、その開口部にガラス窓が取り付けられた窓枠を取り付けることも一法である。
【００３３】
なお、ドア５００Ａ，５００Ｂの大きさは不問であるが、例えば、ベッドの高さ及び高さと、ベッドに横臥している被験者の高さとを考慮して決定すればよく、例えば、高さ１ｍ程度、幅１ｍ程度とすることができる。
【００３４】
ただし、ドア５００Ａ，５００Ｂは、ベッドの搬入のほか、後述する車いすの搬入であったり、看護師等の出入りだったりも兼用できるように、例えば高さ１．８ｍ程度、幅１ｍ程度としてもよい。もちろん、ドア５００Ａ，５００Ｂとは別に、看護師等の出入り専用のドアを設けてもよい。
【００３５】
サウナ室１００の床には、ベッドとその車輪とを接続する脚部が通るスペースを含むガイド６００Ａ，６００Ｂが形成されている。ガイド６００Ａ，６００Ｂは、サウナ室１００の床面を貫通するように形成された長孔とすることができる。
【００３６】
この場合、各ベッドの車輪がサウナ室１００の設置面を転がりながら、各ベッドはサウナ室１００に搬入することが可能となる。これにより、ベッドでの移動が強いられる被験者が、サウナ室１００に入る前に横臥しているベッドから、サウナ室１００専用の他のベッドなどに移動する必要がないという利点がある。
【００３７】
なお、ガイド６００Ａ，６００Ｂが開放状態であると、サウナ室１００内の温度が意図せずに低下する可能性がある。これを回避するために、例えば、長孔の長手方向の両側面に、長孔を塞ぐゴムシートなどを、それらの一部が相互に重なり合う態様で貼付するとよい。
【００３８】
もっとも、ガイド６００Ａ，６００Ｂを形成することは必須ではなく、ガイド６００Ａ，６００Ｂの形成に代えて、以下説明するヒータ７００Ｄを大型化することも一法であるし、サウナ室１００内に被験者が座る椅子設けてもよいし、被験者が乗った１台以上の車いすを搬入できるようにしてもよい。
【００３９】
サウナ室１００の第２〜第４の壁４００Ｂ〜４００Ｄの内側及び床下には、複数の熱源であるヒータ７００Ａ〜７００Ｄが設けられている。もっとも、サウナ室１００の第１の壁４００Ａに対しても、ヒータを設けることができる。また、サウナ室１００の床の例えば四隅にも、ヒータを設けることもできる。
【００４０】
なお、ヒータ７００Ａ〜７００℃は、その表面を火傷防止用の植毛ネットカバーで覆うとよい。ヒータ７００Ａ〜７００Ｄは、例えば、電熱式遠赤外線パネルヒータを用いることができる。ヒータ７００Ａ〜７００Ｄは、サウナ室１００の容積にもよるが、例えば２ｋＷ〜１５ｋＷ程度の出力が可能なものとすればよい。
【００４１】
ヒータ７００Ａ〜７００℃は、電熱式による遠赤外線放射用として、例えば、絶縁基板に炭素粉末とポリエチレン等の結合材を混合したものを塗布して所要の電気抵抗を有する抵抗膜を形成し、全長に亘り導線を取り付け、表面に電気不良導体の耐熱防水膜を被着したものとすることができる。
【００４２】
なお、サウナ室１００を構成する第１〜第４の壁４００Ａ〜４００Ｄの幾つかは、例えば、石富ボードと耐水ベニヤ板との間にグラスツールを挟んだ不燃・断熱性の壁パネルを採用することができる。サウナ室１００の床は、例えば、カルストーン貼りの不燃材を貼付した床パネルを採用することができる。
【００４３】
制御室２００には、ヒータ７００Ａ〜７００Ｄの各種制御を行うコントローラ８００Ａ，８００Ｂが設けられている。当該各種制御には、例えば、ヒータ７００Ａ〜７００Ｄの電源のオン／オフ状態を切り替えたり、ヒータ７００Ａ〜７００Ｄの熱量を制御したりすることが含まれる。
【００４４】
コントローラ８００Ａ，８００Ｂの入力部は、それぞれ、接続ケーブル８０５Ａ，８０５Ｂを通じて、深部体温センサ８１０Ａ，８１０Ｂに接続されている。深部体温センサ８１０Ａ，８１０Ｂは、被験者らの深部体温を計測するものである。深部体温センサ８１０Ａ，８１０Ｂは、被験者らの例えば前額部、腹部、腕などに装着されて使用される。もっとも、接続ケーブル８０５Ａ，８０５Ｂを用いた有線接続に代えて、ブルートゥース（登録商標）などの無線接続をしてもよい。
【００４５】
なお、深部体温センサ８１０Ａ，８１０Ｂには、例えば、テルモ株式会社製の深部温プローブＰＤ１，ＰＤ３，ＰＤ７など、又は、日本光電工業株式会社製のＭＴＲＤ−ＴＥＭＰ−ＣＲなどを用いることができる。
【００４６】
コントローラ８００Ａ，８００Ｂの各第１出力部は、それぞれ、接続ケーブル８１５Ａ，８１５Ｂを通じて、ヒータ７００Ａ〜７００Ｄに接続されている。コントローラ８００Ａ，８００Ｂは、深部体温センサ８１０Ａ，８１０Ｂによって測定される被験者らの深部体温に基づいて、ヒータ７００Ａ〜７００Ｄの熱量及び／又はオン時間を制御する。もっとも、接続ケーブル８１５Ａ，８１５Ｂを用いた有線接続に代えて、ブルートゥース（登録商標）などの無線接続をしてもよい。
【００４７】
また、コントローラ８００Ａ，８００Ｂの各第２出力部は、それぞれ、接続ケーブル８２５Ａ，８２５Ｂを通じて、第３の壁の外側に取り付けられているディスプレイ９００Ａ，９００Ｂに接続されている。ディスプレイ９００Ａ，９００Ｂには、深部体温センサ８１０Ａ，８１０Ｂによって測定される被験者らの深部体温が表示される。
【００４８】
加えて、ディスプレイ９００Ａ，９００Ｂには、サウナ装置１０００の使用時間表示、サウナ装置１０００内の測定温度表示などを表示することもできるし、後述する実施形態３で説明する、心拍又は脈拍情報及び／又は心電図情報、更には血圧情報を表示することもできる。
【００４９】
さらに、本実施形態では、制御室２００に機能部２１０を設けている。機能部２１０は、単に一つのブロックで示しているが、サウナ室１００に対する、火災消火手段、火災報知手段、湿度制御手段、照明制御手段などの種々の機能を発揮するものの総称である。したがって、実際には、適材適所、場合によっては、特定の機能を発揮するための部位は、サウナ室１００内に位置させることもできる。
【００５０】
＜動作の説明＞
まず、被験者を搬入する前に、サウナ室１００内を例えば４０℃〜７０℃に温めておく。具体的には、ヒータ７００Ａ〜７００Ｄをオンして、１０ｋＷ程度での出力で５分〜１５分間程度加温しておけばよい。
【００５１】
つぎに、例えば、サウナ室１００に対して、被験者らが横臥している２台のベッドを搬入する場合には、第１の壁４００Ａに設置されているドア５００Ａ，５００Ｂを、それぞれ、開状態として、ガイド６００Ａ，６００Ｂに各ベッドの脚部を位置合わせさせた状態で、サウナ室１００内に搬入すればよい。
【００５２】
そして、看護師等は、各ベッドを搬入し終えたら、なるべく早く、各ベッド上の被験者らの例えば前額部に対して、深部体温センサ８１０Ａ，８１０Ｂを装着する。こうして、被験者らの深部体温の測定を開始する。深部体温センサ８１０Ａ，８１０Ｂからの出力信号が、接続ケーブル８０５Ａ，８０５Ｂを介してコントローラ８００Ａ，８００Ｂに入力される。
【００５３】
ここで、サウナ室１００内の温度が５０℃程度であったとしても、被験者らの深部体温は、サウナ室１００内に搬入されたら、すぐに上昇するわけではない。したがって、サウナ室１００内に搬入した直後に、深部体温センサ８１０Ａ，８１０Ｂから出力される信号値は、サウナ室１００搬入前における被験者らの深部体温とほぼ同じ値を示すことになる。
【００５４】
もっとも、深部体温測定装置の台数に余裕があれば、被験者らは、サウナ室１００への搬入に先だって、サウナ装置１０００に設置されている深部体温測定装置とは別の深部体温測定装置を用いて、深部体温を測定しておいてもよい。
【００５５】
その後、被験者らは、ヒータ７００Ａ〜７００Ｄからの放熱によって加温され、やがて深部体温が上昇し始める。そうすると、深部体温センサ８１０Ａ，８１０Ｂから出力される信号値が、被験者らの深部体温が上昇したことを示すことになる。
【００５６】
仮に、二人の被験者らのうち、ガイド６００Ａに付帯するベッドに横臥している被験者Ａの深部体温が０．５℃上昇し、ガイド６００Ｂに付帯するベッドに横臥している被験者Ｂの深部体温が１．２℃上昇したとする。
【００５７】
この場合には、コントローラ８００Ａは、被験者Ａの深部体温が残り０．５℃上昇するように、例えばヒータ７００Ａの熱量を現在のものよりも増加させる。一方、コントローラ８００Ｂは、被験者Ｂの深部体温が０．２℃下降するように、例えばヒータ７００℃の熱量を現在のものよりも減少させる。
【００５８】
以上説明したように、本実施形態のサウナ装置１０００によれば、被験者毎に深部体温を適正値とするように、ヒータ７００Ａ〜７００Ｄの熱量を制御することができるという効果を奏する。
【００５９】
（実施形態２）
＜構成の説明＞
図２は、本発明の実施形態２のサウナ装置１０００の概要を示す平面図である。図２に示すサウナ装置２０００は、
（１）図１におけるヒータ７００Ａ〜７００Ｄをそれぞれ例えば３分割しており、ヒータ７００Ａに着目すれば、ヒータ７００Ａａ〜Ａｃ等とした点と、
（２）深部体温センサ８１０Ａ，８１０Ｂに加えて、深部体温センサ８２０Ａ，８２０Ｂ，８３０Ａ，８３０Ｂも備えた点と、
（３）これらに付帯して接続ケーブル８３５Ａ，８３５Ｂ，８４５Ａ，８４５Ｂを設けたり、接続ケーブル８１５Ａ，８１５Ｂの接続先が増えて引き回しが変わったりした点が相違する。
【００６０】
なお、サウナ装置２０００における他の構成は、サウナ装置１０００の構成と同様であり、図１，図２において、同様の部分には同一の符号を付している。
【００６１】
実施形態１のサウナ装置１０００の場合には、被験者らの深部体温を計測するために、唯一の深部体温センサ８１０Ａ，８１０Ｂを用いていたが、この場合には、深部体温センサ８１０Ａ，８１０Ｂを被験者らの前額部などの唯一の特定部位のみの深部体温しか測定できなかった。
【００６２】
これに対して、実施形態２のサウナ装置２０００は、深部体温センサ８１０Ａ，８１０Ｂに加えて、深部体温センサ８２０Ａ，８２０Ｂ，８３０Ａ，８３０Ｂも備えている。このため、例えば、深部体温センサ８１０Ａ，８１０Ｂを被験者らの前額部に、深部体温センサ８２０Ａ，８２０Ｂを被験者らの腹部に、深部体温センサ８３０Ａ，８３０Ｂを被験者らの脚の指先付近に、それぞれ装着すれば、当該被験者らの前額部・腹部・脚の指先付近といった３つの特定部位のみの深部体温をそれぞれ測定することが可能となる。
【００６３】
したがって、例えば、被験者Ａの頭部が図面右側で、脚部が図面左側となるように位置する場合には、被験者Ａの前額部付近についてはヒータ７００Ａｃを用いた加温、腹部付近についてはヒータ７００Ａｂを用いた加温、脚の指先付近についてはヒータ７００Ａａを用いた加温を行うことが可能となる。もっとも、被験者Ａの頭部が図面左側で、脚部が図面右側となるように位置させてもよい。
【００６４】
このため、被験者Ａの前額部付近については、深部体温センサ８１０Ａ，８１０Ｂによって既に深部体温が約１℃を越えて上昇していることが測定されているのであれば、これに対応するヒータ７００Ａｃの熱量をやや減少させることが考えられる。
【００６５】
また、被験者Ａの腹部付近については、深部体温センサ８２０Ａ，８２０Ｂによって既に深部体温が約１℃を上昇していることが測定されているのであれば、これに対応するヒータ７００Ａｂの熱量を維持させることが考えられる。
【００６６】
さらに、被験者Ａの脚の指先付近については、深部体温センサ８３０Ａ，８３０Ｂによって既に深部体温まだ約１℃の上昇に至っていないが測定されているのであれば、これに対応するヒータ７００Ａａの熱量を増加させることが考えられる。
【００６７】
こうすると、サウナ装置２０００を用いる場合には、単に深部体温が上昇しやすい例えば被験者Ａと、深部体温が上昇しにくい例えば被験者Ｂといった、被験者Ａ，Ｂ間の個体差による深部体温の相違のみならず、例えば、末端冷性のため、指先の深部体温が、前額部に比して上昇しにくい被験者Ａの特性にも対応可能となる。
【００６８】
なお、図２では、ヒータ７００Ａ〜７００Ｄをそれぞれ例えば３分割した例を示しているが、例えば、上半身用及び下半身用として例えば２分割してもよいし、或いは、もっと細かい部位毎に深部体温を適正値とするように例えば４分割、５分割とすることも可能である。
【００６９】
＜動作の説明＞
実施形態１の場合と同様に、被験者らＡ，Ｂを搬入する前に、サウナ室１００内を予熱しておく。また、被験者らＡ，Ｂについてもサウナ室１００内に搬入する前又は搬入した直後に、深部体温センサ８１０Ａ，８１０Ｂ等を用いて深部体温を測定する。
【００７０】
その後、被験者らＡ，Ｂは、ヒータ７００Ａａ〜７００Ａｃ、ヒータ７００Ｂａ〜７００Ｂｃ等からの放熱によって加温され、やがて深部体温が上昇し始める。そうすると、深部体温センサ８１０Ａ，８１０Ｂ，８２０Ａ，８２０Ｂ，８３０Ａ，８３０Ｂから出力される信号値が、被験者らＡ，Ｂの深部体温が上昇したことを示すことになる。
【００７１】
仮に、被験者Ａの前頭部の深部体温が１．０℃上昇し、前頭部の深部体温が０．５℃上昇し、前頭部の深部体温が０．３℃上昇したとする。
【００７２】
この場合には、コントローラ８００Ａは、被験者Ａの前頭部の深部体温については、これ以上は上昇させる必要がないので、ヒータ７００Ａｃの熱量は維持又は減少させればよいことになる。被験者Ａの腹部の深部体温については、もう少し上昇させる必要があるので、ヒータ７００Ａｂの熱量は維持又は増加させればよいことになる。脚部の指先付近の深部体温については、まだまだ上昇させる必要があるので、ヒータ７００Ａａの熱量は増加させればよいことになる。
【００７３】
以上説明したように、本実施形態のサウナ装置２０００によれば、特定の被験者の部位毎に深部体温を適正値とするように、ヒータ７００Ａａ〜７００Ａｃ等の熱量を制御することができるという効果を奏する。
【００７４】
（実施形態３）
＜構成の説明＞
図３は、本発明の実施形態３のサウナ装置３０００の概要を示す平面図である。図３に示すサウナ装置３０００は、サウナ装置１０００とは異なり、深部体温センサ８１０Ａ，８１０Ｂに代えて、心拍若しくは脈拍情報及び／又は心電図情報を測定する心拍数等センサ８４０Ａ，８４０Ｂを備えている。
【００７５】
心拍数等センサ８４０Ａ，８４０Ｂとしては、心拍又は脈拍情報を測定するためには、例えば、脈波計を用いることができる。脈波計は、通常、脈拍数のみならず、呼吸数、血圧、血管に関する種々の情報を取得することが可能であり、これらのうち、本実施形態では、血圧は心拍数又は脈拍数に次いで重要な要因としている。
【００７６】
具体的には、被験者がサウナ装置３０００を利用して、気持ちよく温まっているか、或いは、我慢して（不快な気持ちで）温まっていないかを、交感神経活動及び／又は副交感神活動に基づいて評価し、気持ちよく温まっていない等の場合には、ヒータ７００Ａ〜７００Ｄの熱量を制御することによって、このような事態を解消する。
【００７７】
心拍数又は脈拍数は、深部体温が概ね１℃上昇すると、毎分８〜１０程度増加する。このため、サウナ装置３０００に搬入された被験者の心拍数又は脈拍数を測定し、心拍変動の高周波数帯から副交感神経活動を割り出したり、心拍変動の低周波数帯と高周波数帯との比から交感神経活動を割り出したりすれば、実施形態１等と同様にヒータ７００Ａ〜７００Ｄの熱量を制御することもできる。
【００７８】
また、心拍数等センサ８４０Ａ，８４０Ｂとしては、心電図情報を測定するためには、心電計を用いることができる。なお、心拍若しくは脈拍情報及び心電図情報の双方を用いると、より正確に被験者の交感神経と副交感神経との切り替わりを判別することが可能になるため好ましい。
【００７９】
なお、サウナ装置３０００における他の構成は、サウナ装置１０００の構成と同様であり、図１．図３において、同様の部分には同一の符号を付している。
【００８０】
実施形態１，２のサウナ装置１０００，２０００の場合には、被験者らの深部体温を計測するために、深部体温センサ８１０Ａ，８１０Ｂ等を用いていたが、本実施形態のサウナ装置３０００の場合には、これに加えて又はこれに代えて、被験者らがサウナ装置３０００でリラックスして心地よい状態となるように工夫したものである。なお、ここでいうリラックスとは、副交感神経が有利になる状態にあることをいう。
【００８１】
ここで、心拍変動（Heart Rate Variability：ＨＲＶ）又は脈拍変動（Pulse Rate Variability：ＰＲＶ）は、交感神経と副交感神経との自律神経系のバランスが直接的に反映される。心拍と脈拍とは通常であれば広義には同義であるとも言えるが、例えば不整脈がある場合には、これらの値が異なることになるので、狭義には同義とは言えるものではない。
【００８２】
実際に、心拍変動によって得られる自律神経機能評価と、脈拍変動によって得られる自律神経機能評価とを対比すると、脈拍変動では、呼吸性の変動が心拍変動よりも強調されるため、異なる結果となる傾向がある。
【００８３】
しかし、被験者が安静な状態でベッドに横臥している場合、及び、被験者が安静な状態で椅子などに着席している場合には、心拍変動の周波数解析結果と脈拍変動の周波数解析結果とはほぼ等しい。
【００８４】
したがって、心拍数よりも測定部位が限定されないため、簡便に測定をすることができる脈拍数を測定対象とするとよい。心拍変動又は脈拍変動が所定範囲よりも大きい場合又は小さい場合には、交感神経が緊張状態にありリラックスしていないこと場合がある。
【００８５】
また、心電図情報についても、隣接するＲ波の間隔（Ｒ−Ｒ間隔）を集計することで、脈拍数を特定して副交感神経活動を把握することができる。隣接するＲ波の間隔は、心電計に組み込まれているＣＶＲ‐Ｒ又はＲ−Ｒ５０を用いればよい。
【００８６】
具体的には、当該間隔を標準偏差／平均間隔×１００（％）という数式によって求めればよい。Ｒ−Ｒ間隔の変動量が所定範囲内になければ、交感神経が緊張状態にありリラックスしていない場合がある。
【００８７】
＜動作の説明＞
実施形態１等の場合と同様に、被験者らＡ，Ｂを搬入する前に、サウナ室１００内を予熱しておく。ただし、一般的には、この時の余熱温度は６０℃程度にして、そのまま、サウナ室１００内の温度が均一に６０℃程度となるようにするとよい。
【００８８】
もっとも、被験者によっては、これよりも低温又は高温としてもよいし、余熱温度を実施形態１等と同様にして、被験者がサウナ室１００に搬入されてから、ヒータ７００Ａ〜７００Ｄの熱量を増加させて、サウナ室１００内の温度が均一に６０℃程度となるようにしてもよい。
【００８９】
そして、看護師らは、被験者らがサウナ室１００に搬入し終えると、被験者らに心拍数等センサ８４０Ａ，８４０Ｂを装着すればよい。心拍数等センサ８４０Ａ，８４０Ｂは、その種別にもよるが、被験者らの腕部などに装着すればよい。
【００９０】
その後、例えば、被験者Ａの心拍数が、サウナ室１００に搬入直後のものよりも、現在のものが、１分間換算して１５〜２０程度以上も増加しているとなれば、被験者Ａにとってはサウナ室１００の温度が高いということなる。
【００９１】
そして、被験者Ａにとってはサウナ室１００内の温度が高いことが原因で自律神経が有利になって、交感神経が有利になり不快感があることが想定される。したがって、この場合には、被験者Ａに係るヒータ７００Ａの熱量を減少させるといった対応ができるようにしている。
【００９２】
具体的には、本実施形態では、コントローラ８００Ａ，８００Ｂにおいて、心拍数等センサ８４０Ａ，８００Ｂからの測定結果に基づく脈拍変動若しくは心拍変動及び／又は心電図の隣接するＲ波間隔と所定の第１閾値とを対比して、脈拍変動等が第１閾値（所定範囲の上限）を上回る場合には、ヒータ７００Ａ〜７００Ｄのうち、対応するヒータの熱量を低下させるようにする。
【００９３】
なお、サウナ装置３０００の利用頻度が少ない被験者にとっては、約６０℃のサウナ室１００内に滞在することが不快な場合もある。この場合には、ヒータ７００Ａ〜７００Ｄの熱量を相対的に低くして、被験者がサウナ室１００に滞在する時間を長くすることもできる。
【００９４】
反対に、ヒータ７００Ａ〜７００Ｄの熱量が相対的に高い場合には、被験者がサウナ室１００に滞在する時間を短くしてもよい。
【００９５】
以上説明したように、本実施形態のサウナ装置３０００によれば、被験者らの深部体温を脈拍数等に基づいて間接的に測定することができ、また、これのみならず、副交感神経が活発化するようにヒータ７００Ａ〜７００Ｄの熱量を被験者毎に制御することができるという効果を奏する。
【００９６】
なお、本発明のサウナ装置は、サウナ装置１０００とサウナ装置２０００とのいずれかの固有部分と、サウナ装置３０００の固有部分とを組み合わせたものとすることもできる。したがって、例えば、深部体温センサ８１０Ａ，８１０Ｂ等と心拍数等センサ８４０Ａ，８４０Ｂとの双方を備えるサウナ装置としてもよい。
【００９７】
こうすると、深部体温センサ８１０Ａ，８１０Ｂ等を用いて直接的に被験者らの深部体温を測定するとともに、心拍数等センサ８４０Ａ，８４０Ｂを用いて被験者らのリラックスの有無を測定することもできる。
【図１】
2020146159.tif 000003
【図２】
2020146159.tif 000004
【図３】
2020146159.tif 000005